(57)【要約】【課題】防水機能を有するとともに、軽量化、及びコストダウンを図ることができる携帯端末を提供することを目的とする。【解決手段】携帯電話機１は、表側キャビネット４と、表側キャビネット４に取り付けられた裏側キャビネット６と、表側キャビネット４と裏側キャビネット６との間において、枠状に設けられた防水パッキン２２とを備える。防水パッキン２２は、内部に空間部１２が形成され、断面形状が環状であり、裏側キャビネット６に、防水パッキン２２が挿入され、断面Ｖ字形状を有する溝１１が形成されている。【選択図】図４
2014107694.tif 000002
【特許請求の範囲】
【請求項１】
表側キャビネットと、
前記表側キャビネットに取り付けられた裏側キャビネットと、
前記表側キャビネットと前記裏側キャビネットとの間において、枠状に設けられた防水パッキンとを備え、
前記防水パッキンは、内部に空間部が形成され、断面形状が環状であり、
前記表側キャビネット及び前記裏側キャビネットの少なくとも一方に、前記防水パッキンが挿入され、断面Ｖ字形状を有する溝が形成されていることを特徴とする携帯端末。
【請求項２】
前記表側キャビネット及び前記裏側キャビネットが、ポリカーボネート樹脂、ＡＢＳ樹脂、及びポリアミド樹脂からなる群より選ばれる材料により形成されていることを特徴とする請求項１に記載の携帯端末。
【請求項３】
前記防水パッキンがゴム材料により形成され、ＪＩＳ Ｋ ６２５３に準拠し、タイプＡデュロメータにより測定される前記ゴム材料の硬度が２０〜４０であることを特徴とする請求項１または請求項２に記載の携帯端末。
【発明の詳細な説明】
【技術分野】
【０００１】
本発明は、防水パッキンを有する携帯端末に関するものである。
【背景技術】
【０００２】
従来、携帯電話機に代表される携帯端末においては、キャビネット内部への浸水を防止するため、表側キャビネットと裏側キャビネットとの間に、ゴム等の水を透過させない弾性体により形成された防水パッキンが設けられている。
【０００３】
この防水パッキンは、表側キャビネット及び裏側キャビネットの全周に沿って連続して配置されており、キャビネットに形成された溝に挿入される。そして、防水パッキンの反発力により、キャビネット内部を密閉して、防水構造を成立させている（例えば、特許文献１参照）。
【先行技術文献】
【特許文献】
【０００４】
【特許文献１】特開２０１２−７６９７号公報
【発明の概要】
【発明が解決しようとする課題】
【０００５】
ここで、上述のごとく、防水パッキンの反発力により、キャビネット内部を密閉するためには、所定値以上の反発力が必要となるため、一般に、防水パッキンを形成するゴム材料の硬度（ＪＩＳ Ｋ ６２５３に準拠し、タイプＡデュロメータにより測定される硬度）を５０程度に設定している。
【０００６】
しかし、防水機能を向上させるために、防水パッキンの反発力を大きくしてしまうと、防水パッキンの反発力によって表側キャビネットと裏側キャビネットの嵌合部において、開きや反りが発生しないように、キャビネットの強度を高くすることが必要となる。
【０００７】
従って、キャビネットを形成する材料（樹脂材料）の剛性を高くする必要があるため、携帯電話機の重量が大きくなるとともに、コストがアップするという問題があった。
【０００８】
そこで、本発明は、上述の問題に鑑みてなされたものであり、防水機能を有するとともに、軽量化、及びコストダウンを図ることができる携帯端末を提供することを目的とする。
【課題を解決するための手段】
【０００９】
上記目的を達成するために、本発明の携帯端末は、表側キャビネットと、表側キャビネットに取り付けられた裏側キャビネットと、表側キャビネットと裏側キャビネットとの間において、枠状に設けられた防水パッキンとを備え、防水パッキンは、内部に空間部が形成され、断面形状が環状であり、表側キャビネット及び裏側キャビネットの少なくとも一方に、防水パッキンが挿入され、断面Ｖ字形状を有する溝が形成されていることを特徴とする。
【００１０】
同構成によれば、防水パッキンの断面形状が環状であるため、防水パッキンの反発力を小さくすることができ、表側キャビネット及び裏側キャビネットを形成する材料の剛性を高くする必要がなくなる。従って、携帯端末の軽量化を図ることができるとともに、コストアップを抑制することが可能になる。
【００１１】
また、防水パッキンが挿入された溝が断面Ｖ字形状を有するため、防水パッキンの位置決めを容易に行うことができる。従って、防水パッキンを溝に容易に挿入することが可能になる。
【発明の効果】
【００１２】
本発明によれば、防水機能を有する携帯端末において、軽量化、及びコストダウンを図ることができる。
【図面の簡単な説明】
【００１３】
【図１】本発明の実施形態に係る携帯電話機の平面図である。
【図２】図１のＡ−Ａ断面図である。
【図３】本発明の実施形態に係る携帯電話機における防水パッキンの配置を説明するための分解斜視図である。
【図４】図２におけるＥの部分の拡大図である。
【図５】本発明の実施形態に係る携帯電話機における防止パッキンの位置決め方法を説明するための断面図である。
【発明を実施するための形態】
【００１４】
以下、本発明の実施形態を図面に基づいて詳細に説明する。尚、本発明は、以下の実施形態に限定されるものではない。
【００１５】
本実施形態の携帯電話機１は、防水機能を有する携帯端末であり、図１、図２に示すように、表示パネル２と、表示パネル２を収容するための表示用凹部３を有する表側キャビネット４と、矩形板状の回路基板５と、この回路基板５が設けられた矩形皿状の裏側キャビネット６とを備えている。
【００１６】
また、図１、図２に示すように、携帯電話機１は、例えば、複数の画素等で構成される表示領域Ｄと、表示領域Ｄの周辺に設けられた額縁領域Ｆとを備えている。
【００１７】
また、表側キャビネット４における表示用凹部３の周縁には、矩形枠状にタッチパネル用凹部７が形成されている。このタッチパネル用凹部７には、表示パネル２を表側から覆うように矩形板状の保護パネルであるタッチパネル８が設けられており、図２に示すように、タッチパネル８が、額縁領域Ｆに設けられた両面テープ９により、表側キャビネット４に貼り付けられている。
【００１８】
また、図２に示すように、表示パネル２は、タッチパネル８の裏側表面に設けられた両面テープ１８により、タッチパネル８に貼り付けられている。
【００１９】
また、本実施形態においては、図２に示すように、表側キャビネット４と裏側キャビネット６には、額縁領域Ｆにおいて、互いに嵌合するように凹凸が形成されており、表側キャビネット４と裏側キャビネット６とが嵌合した状態で、ネジ等を使用して締結することにより、表側キャビネット４に裏側キャビネット６が取り付けられる構成となっている。
【００２０】
また、本実施形態においては、図２に示すように、回路基板５を収容する裏側キャビネット６を覆うカバー２１が設けられている。なお、本実施形態においては、カバー２１は、電池用カバーとして使用される。
【００２１】
そして、上述の裏側キャビネット６の取り付け構造と同様に、図２に示すように、裏側キャビネット６とカバー２１には、互いに嵌合するように凹凸が形成されており、裏側キャビネット６とカバー２１とを嵌合することにより、裏側キャビネット６にカバー２１が取り付けられる構成となっている。
【００２２】
また、表側キャビネット４は、表側キャビネット４を形成する樹脂と一体的に形成された金属板１３を備えている。この金属板１３は、携帯電話機１の剛性を向上させるためのものである。
【００２３】
また、本実施形態においては、図２に示すように、裏側キャビネット６が、回路基板５の裏側（即ち、携帯電話機１の表示側と反対側）に配置された電池収容部１０を有するとともに、電池２０が電池収容部１０に収容され、回路基板５とカバー２１との間に電池２０が配置されている。
【００２４】
また、本実施形態における表示パネル２としては、例えば、液晶表示パネルや有機ＥＬ表示パネル等を使用することができる。
【００２５】
また、図２に示すように、携帯電話機１においては、額縁領域Ｆにおいて、表側キャビネット４と裏側キャビネット６との間に、防水パッキン２２が設けられている。この防水パッキン２２は、図３に示すように、表側キャビネット４及び裏側キャビネット６の全周に沿って連続して配置されており、表示パネル２を周回するように枠状に形成されている。
【００２６】
また、図２〜図４に示すように、額縁領域Ｆにおいて、裏側キャビネット６には、防水パッキン２２が挿入される溝１１が、裏側キャビネット６の全周に沿って連続して形成されており、防水パッキン２２は、この溝１１に挿入される構成となっている。
【００２７】
そして、防水パッキン２２を設けることにより、表側キャビネット４と裏側キャビネット６との間を介して、外部から水分や埃等の異物が携帯電話機１の内部に入り込むことを防止することができる。
【００２８】
なお、防水パッキン２２は、例えば、シリコンゴム等の弾性を有するゴム材料により形成されている。
【００２９】
ここで、本実施形態においては、防水パッキン２２の反発力を低下させる点に特徴がある。
【００３０】
より具体的には、図２、図４に示すように、防水パッキン２２の内部には、空間部１２が形成されており、防水パッキン２２の断面形状が環状である点に特徴がある。
【００３１】
このような防水パッキン２２を使用することにより、防水パッキン２２の反発力を小さくすることができるため、表側キャビネット４及び裏側キャビネット６を形成する材料の剛性を高くする必要がなくなる。従って、携帯電話機１の軽量化を図ることができるとともに、コストアップを抑制することが可能になる。
【００３２】
なお、本実施形態においては、表側キャビネット４、及び裏側キャビネット６を形成する剛性の低い材料として、例えば、ポリカーボネート樹脂、ＡＢＳ樹脂、ポリアミド樹脂等の安価な樹脂材料を使用することができる。
【００３３】
また、一般に、防水パッキンの反発力を小さくすると、裏側キャビネットに形成された溝への防水パッキンの挿入（位置決め）が困難になる場合があるが、本実施形態においては、図２、図４に示すように、裏側キャビネット６に形成された溝１１が断面Ｖ字形状を有している。
【００３４】
従って、裏側キャビネット６の溝１１へ防水パッキン２２を載置させると、防水パッキン２２の位置決めが容易に行われるため、裏側キャビネット６の溝１１へ防水パッキン２２を容易に挿入することが可能になる。
【００３５】
次に、携帯電話機１の組み立て手順の一例について簡単に説明する。まず、表側キャビネット４に形成された表示用凹部３に表示パネル２を収容する。次いで、表側キャビネット４に形成されたタッチパネル用凹部７に、両面テープ９を設け、この両面テープ９を介して、表側キャビネット４にタッチパネル８を貼り付けて、タッチパネル用凹部７に、表示パネル２を表側から覆うようにタッチパネル８を収容する。この際、両面テープ１８を介して、表示パネル２にタッチパネル８が貼り付けられる。
【００３６】
次いで、回路基板５を収容する裏側キャビネット６を用意した後、裏側キャビネット６に形成された溝１１に防水パッキン２２を載置させる。この際、上述のごとく、溝１１が断面Ｖ字形状を有しているため、図５に示すように、防水パッキン２２が溝１１の表面に接触すると、防水パッキン２２の位置が規制され、防水パッキン２２の位置決めを容易に行うことができる。
【００３７】
次いで、上述の凹凸により、表側キャビネット４と裏側キャビネット６とを嵌合し、表側キャビネット４と裏側キャビネット６とが嵌合した状態で、ネジ等を使用して締結することにより、表側キャビネット４に裏側キャビネット６を取り付ける。この際、防水パッキン２２が、表側キャビネット４と裏側キャビネット６との間に設けられるが、上述のごとく、防水パッキン２２の反発力が小さいため、表側キャビネット４、及び裏側キャビネット６を剛性の低い材料で形成した場合であっても、防水パッキン２２の反発力によって表側キャビネット４と裏側キャビネット６との嵌合部において、開きや反りは発生しない。
【００３８】
次いで、裏側キャビネット６の電池収容部１０に電池２０を収容し、裏側キャビネット６に、裏側キャビネット６を覆うカバー２１を取り付ける。
【００３９】
以上のようにして、図２に示す携帯電話機１が製造される。
【００４０】
以上に説明した本実施形態においては、以下の効果を得ることができる。
【００４１】
（１）本実施形態においては、内部に空間部１２が形成され、断面形状が環状である防水パッキン２２を設ける構成としている。従って、防水パッキン２２の反発力を小さくすることができるため、表側キャビネット４及び裏側キャビネット６を形成する材料の剛性を高くする必要がなくなる。その結果、携帯電話機１の軽量化を図ることができるとともに、コストアップを抑制することが可能になる。
【００４２】
（２）本実施形態においては、裏側キャビネット６に、断面Ｖ字形状を有する溝１１を形成する構成としている。従って、防水パッキン２２の位置決めが容易になるため、裏側キャビネット６の溝１１へ防水パッキン２２を容易に挿入することが可能になる。
【００４３】
上記実施形態は以下のように変更しても良い。
【００４４】
防水パッキン２２を、硬度（ＪＩＳ Ｋ ６２５３に準拠し、タイプＡデュロメータにより測定される硬度）が低いゴム材料により形成する構成としてもよい。
【００４５】
より具体的には、上記タイプＡデュロメータにより測定される硬度が２０〜４０であるゴム材料により、防水パッキン２２を形成する構成としてもよい。このような構成により、防水パッキン２２の反発力をより一層小さくすることが可能になるため、表側キャビネット４及び裏側キャビネット６を形成する材料の剛性をより一層低くすることが可能になる。
【００４６】
また、上記実施形態においては、裏側キャビネット６に溝１１を設ける構成としてが、表側キャビネット４に溝１１を設ける構成としてもよい。即ち、表側キャビネット４及び裏側キャビネット６の少なくとも一方に、防水パッキン２２が配置される溝１１が設けられていればよい。
【００４７】
また、上記実施形態においては、保護パネルとしてタッチパネル８を例に挙げて説明したが、このタッチパネル８の代わりに、ガラスや透明な樹脂により形成された保護パネルを使用する構成としてもよい。
【００４８】
また、上記実施形態においては、携帯電話機を例に挙げて説明したが、本発明は、これに限定されず、例えば、ＰＨＳ（Personal Handy-phone System）、ＰＤＡ（Personal Digital Assistant）、パソコン、モバイルツール、電子辞書、ゲーム機等の表示パネルを有するものに適用することができる。
【産業上の利用可能性】
【００４９】
以上説明したように、本発明は、防水パッキンを有する携帯端末に、特に有用である。
【符号の説明】
【００５０】
１    携帯電話機（携帯端末）
２    表示パネル 
３    表示用凹部  
４    表側キャビネット 
５    回路基板 
６    裏側キャビネット 
７    タッチパネル用凹部 
８    タッチパネル
９    両面テープ 
１０      電池収容部 
１１      溝 
１２      空間部 
１３      金属板 
１８      両面テープ 
２０      電池 
２１      カバー 
２２      防水パッキン 
Ｄ    表示領域
Ｆ    額縁領域
【図１】
2014107694.tif 000003
【図２】
2014107694.tif 000004
【図３】
2014107694.tif 000005
【図４】
2014107694.tif 000006
【図５】
2014107694.tif 000007